(57)【特許請求の範囲】
【請求項１】
本体と、該本体の上面を閉じる蓋体と、該蓋体が前記本体の上面を閉じた状態を解除する蓋開ボタンを有し、該蓋開ボタンは前記本体の前方を向く側面に位置する炊飯器の梱包において、
前記本体を底面から側面に至り覆う底緩衝材と、前記蓋体を上面から側面に至り覆う蓋緩衝材と、前記底緩衝材と前記蓋緩衝材の間に位置し前記本体の前方を向く側面を覆うとともに、矩形の板状を成しており、表面に折り曲げ位置となる窪みが形成されており、該窪みで折り曲げることにより高さを変えることが可能である内材と、側面に手掛け開口が形成された梱包箱を有し、
前記底緩衝材と前記蓋緩衝材と前記内材が前記炊飯器を覆った状態で、これらが前記梱包箱に収容され、前記蓋開ボタンと前記手掛け開口の間に前記内材が位置することを特徴とする炊飯器の梱包。
【請求項２】
前記内材は、前記蓋開ボタンの前方を向く面より大きい板状部材で構成されていることを特徴とする請求項１に記載の炊飯器の梱包。
【請求項３】
前記窪みは、直線的な筋状の窪みであり、隣り合う窪みが互いに平行となるように複数形成されていることを特徴とする請求項１に記載の炊飯器の梱包。
【請求項４】
前記内材と前記蓋開ボタンの間にクリアランスを形成したことを特徴とする請求項１から３に記載の炊飯器の梱包。
【発明の詳細な説明】
【技術分野】
【０００１】
本発明は、炊飯器の梱包に関する。
【背景技術】
【０００２】
従来から、炊飯器の周囲に緩衝材を配置して梱包箱に収容することで、炊飯器を輸送する際の外部からの衝撃を低減する炊飯器の梱包方法がある。この様な梱包箱の側面には、積み下ろしや持ち運びのために手掛けとなる手掛け開口が形成される（例えば、特許文献１参照）。
【先行技術文献】
【特許文献】
【０００３】
【特許文献１】特開２００１−２１３４８１号公報（図１）
【発明の概要】
【発明が解決しようとする課題】
【０００４】
しかしながら従来の構成では、梱包箱の内部に炊飯器を収容した状態において、手掛け開口の近傍に、炊飯器の蓋開ボタンが位置する場合、梱包箱を運ぶために手掛け開口に手を挿入する際に、誤って蓋開ボタンに触れてしまい、炊飯器の蓋を開く誤動作をさせてしまうという課題がある。
【０００５】
本発明は、上記のような課題を解決する為になされたもので、輸送時の炊飯器への衝撃を低減させつつ、持ち運ぶ際に蓋開ボタンの誤操作を防止することができる炊飯器の梱包を提供することを目的とする。
【課題を解決するための手段】
【０００６】
上記の課題を解決するためには、本体と、本体の上面を閉じる蓋体と、蓋体が本体の上面を閉じた状態を解除する蓋開ボタンを有し、蓋開ボタンは前記本体の前方を向く側面に位置する炊飯器の梱包において、本体を底面から側面に至り覆う底緩衝材と、蓋体を上面から側面に至り覆う蓋緩衝材と、底緩衝材と蓋緩衝材の間に位置し本体の前方を向く側面を覆うとともに、矩形の板状を成しており、表面に折り曲げ位置となる窪みが形成されており、該窪みで折り曲げることにより高さを変えることが可能である内材と、側面に手掛け開口が形成された梱包箱を有し、底緩衝材と蓋緩衝材と内材が炊飯器を覆った状態で、これらが梱包箱に収容され、蓋開ボタンと前記手掛け開口の間に前記内材が位置することを特徴とするように構成すればよい。
【発明の効果】
【０００７】
本発明によれば、輸送時の炊飯器への衝撃を低減させつつ、持ち運ぶ際に蓋開ボタンの誤操作を防止することができる炊飯器の梱包を提供することができる。
【図面の簡単な説明】
【０００８】
【図１】実施の形態１に係る炊飯器と、この炊飯器を梱包する梱包部材を示す分解斜視図
【図２】実施の形態１に係る炊飯器が梱包された状態を示す斜視図
【図３】実施の形態１に係る内材の斜視図
【図４】実施の形態１に係る炊飯器を梱包した状態の断面図（図２におけるＸ−Ｘ断面図）
【図５】実施の形態２に係る炊飯器を梱包した状態の断面図
【発明を実施するための形態】
【０００９】
（実施の形態１）
図１〜図４を参照して、実施の形態１に係る炊飯器の梱包部材及び梱包方法について説明する。
図１は、炊飯器とこの炊飯器を梱包する梱包部材を示す分解斜視図である。図２は、炊飯器が梱包された状態を示す斜視図である（梱包箱２４の内部に位置する内材２３は点線で示す）。図３は、内材の斜視図である。図４は、図２におけるＸ−Ｘ断面図（梱包箱２４の短手方向の中心を通る位置を長手方向に切断した断面図）を示す。（尚、図４において、梱包２０と炊飯器１０の位置関係をわかりやすくする為、炊飯器１０は断面図で示さず、側面図としている。）
【００１０】
後述する梱包部材に梱包される炊飯器１０は、本体１１と本体上面を開閉する蓋体１２からなる。本体１１の内部には、内部に米飯を保持する内釜と、内釜を加熱する加熱手段（図示せず）と、加熱手段を制御する制御手段（図示せず）が設けられる。
【００１１】
蓋体１２は、蓋体１２と本体１２の間にヒンジバネ１３ａを介在させた状態で、後端が本体１１にヒンジ１３で接続されている。このヒンジバネ１３ａは、蓋体１２が本体１１に閉じる方向に動かすに従ってバネが縮み、バネの復元力（以下、バネ力）により、蓋体１２に開く方向の力を加えるように設けられている。
つまり、蓋体１２は、完全に開いていない状態では、ヒンジバネ１３ａにより、常に開く方向に力が加わった状態（付勢された状態）で本体１１に取り付けられている。
【００１２】
本体１１には、蓋体１２が係合することにより、蓋体１２が閉じた状態で保持される係合手段（図示せず）が設けられている。この係合手段は、本体１１の前方を向く側面に設けられた蓋開ボタン１４に連動して動き、蓋体１２との係合状態を解除する。係合が解除された蓋体１２は、ヒンジバネ１３ａのバネ力により開き、本体１２の上面を開放する。
この蓋開ボタン１４は、本体１１の前方を向く側面に出没自在に設けられており、使用者が押圧することで蓋開ボタン１４を本体１１の内方に入り込む動作に、上記の通り係合手段が連動して動く。
【００１３】
次に、上記の様に構成された炊飯器１０は、次の部材により梱包される。
炊飯器１を保護する梱包２０は、本体１１を底面から側面に至り覆う底緩衝材２１と、蓋体１２を上面から側面に至り覆う蓋緩衝材２２と、底緩衝材２１と蓋緩衝材２２の間に位置し本体１１の側面を覆う内材２３と、側面に手掛け開口２４ａが形成された梱包箱２４から構成されている。
【００１４】
梱包箱２４は、底面２４ｂが塞がれており、底面２４ｂの周縁から立ち上がる側面２４ｄと、上方に向く開口２４ｃが形成された、直方体のいわゆる段ボール箱である。尚、開口２４ｃは、蓋２４ｅにより閉じられる。
また、包装箱２４の長手方向を向く面には、持ち運ぶ際に手掛けとなる手掛け開口２４ａが開口している。
【００１５】
底緩衝材２１は、平面形状が梱包箱２４の底面形状２４ｂと同じ矩形状に構成され、上方に開口する凹部２１ａが形成されている。この凹部２１ａは、炊飯器１の本体１１が底面側より嵌り込むことができる形状をなしている。
尚、底緩衝材２１は、発泡スチロールや段ボールなど衝撃を吸収する材料で構成されている。
【００１６】
蓋緩衝材２２は、平面形状が梱包箱２４の開口２４ｃと同じ矩形状に構成され、下方に開口する凹部２２ａが形成されている。この凹部２２ａは、炊飯器１の本体１１が蓋側より嵌り込むことができる形状をなしている。
尚、底緩衝材２１は、発泡スチロールや段ボールなど衝撃を吸収する材料で構成されている。
【００１７】
内材２３は、ボール紙で構成されており、押されても自らの形状を保つことができる強度を有する。
また図３を参照すると、内材２３は矩形状を成しており、表面に折り曲げ位置となる窪み２３ａが形成されている。窪み２３ａは、直線的な筋状を成しており、隣り合う窪み同士が互いに平行となるように複数形成されている
この様に形成された窪みで、内材２３を折り曲げることにより、内材の高さＨを変えることが可能である。
【００１８】
以上の部材により炊飯器１０は、次のように梱包される。
底緩衝材２１は、凹部２１ａの内部に本体１１を底面側から嵌め込むことで、本体１１の底面から側面に至り覆う。蓋緩衝材２２は、凹部２２ａの内部に本体１１を蓋体１２の上面側から嵌め込むことで、蓋１２の上面から側面に至り覆う。
そして、内材２３は、底緩衝材２１と蓋緩衝材２２の間に位置し、蓋開ボタン１４を側面から覆う。尚、内材２３は、炊飯器１０の前方を向く蓋開ボタン１４の面、つまり、使用者が押す面より大きく構成されている。
【００１９】
この様に炊飯器１０は、周囲を各部材で覆われた状態で、梱包箱２４の内部に収納される。この時、炊飯器１０が梱包箱２４に収納された状態において、手掛け開口２４ａと蓋開ボタン１４の間には、内材２３が位置する。
この様に炊飯器１０は梱包されるので、使用者が持ち運びの際に手掛け開口２４ａに手を入れて持つ時、蓋開ボタン１４は内材２３に覆われているので、誤って蓋開ボタン１４を操作することを防止できる。
特に、内材２３は、蓋開ボタン１４の面より大きく構成されているので、仮に内材２３と共に蓋開ボタン１４を押してしまっても、蓋体１２の本体１１への係合状態を解除するほど、蓋開ボタン１４を押すことを防止できる。
【００２０】
ここで、図３を参照すると、内材２３は、折り曲げる窪み２３ａの位置を変えることにより、高さＨを変えることができる。これにより、梱包する炊飯器１の大きさが異なっても、折り曲げる位置を変えることで対応することができる。
例えば、図４を参照すると、図４（ａ）に示す炊飯器１０のように、本体１１の高さが通常の高さ（例えば、炊飯調理が可能な量が５．５合炊きの機種）の場合、内材２３の２箇所の窪み２３ａを折り曲げることで、底緩衝材２１と蓋緩衝材２２間に嵌り込む高さＨ１の内材２３を形成することができる。
【００２１】
これに対して、図４（ｂ）に示す炊飯器１０のように、図４に示す炊飯器１０より本体１１の高さが大きい（例えば、炊飯調理が可能な量１０合炊きの機種）の場合、内材２３の１箇所の窪み２３ａを折り曲げることで、底緩衝材２１と蓋緩衝材２２間に嵌り込む高さＨ２（Ｈ２＞Ｈ１）の内材２３を形成することができる。
つまり、内材２３に折り曲げ可能な窪み２３ａを複数設けることにより、一種類の内材２３で、大きさが異なる複数機種の炊飯器の梱包に対応することができる。
【００２２】
（実施の形態２）
次に、図５を参照して実施の形態２を説明する。
実施の形態２は、内材２３と蓋開ボタン１４の間に、クリランスＣを形成したものである。図５（ａ）と図５（ｂ）は、それぞれクリアランスＣを形成するための構造の例を示す断面図である。尚、断面位置は、図２に示すＸ−Ｘ断面である。（尚、図５において、梱包２０と炊飯器１０の位置関係をわかりやすくする為、炊飯器１０は断面図で示さず、側面図としている。）
また、実施の形態１と同じ構成については同じ符号を付し、説明を省略する。
【００２３】
図５（ａ）を参照すると、内材２３には、蓋開ボタン１４と対向する部分を凹ますことで凹部２３ｂが形成されている。これにより、内材２３が炊飯器１の側面に近づいても、内材２３と蓋開ボタン１４との間には、クリアランスＣが形成され、内材２３と蓋開ボタン１４が直接接触することを防ぐことができる。
つまり、使用者が持ち運びの際に手掛け開口２４ａに手を入れて持つ時、蓋開ボタン１４は、クリアランスＣを開けた状態で内材２３に覆われているので、誤って蓋開ボタン１４を操作することを防止できる。
【００２４】
図５（ｂ）を参照すると、底緩衝材２１には、上面であって炊飯器１に近い側には、上方に突出する第１の突部２１ｈが形成されている。また、蓋緩衝材２２には、下面であって炊飯器１に近い側には、下方に突出する第２の突部２２ｈが形成されている。
この第１の突部２１ｈと第２の突部２２ｈが向かい合う位置の距離Ｒは、内材２３の高さＨより小さく構成されている。
【００２５】
従って、底緩衝材２１と蓋緩衝材２２に挟まれた部分に設けられる内材２３は、第１の突部２１ｈと第２の突部２２ｈより、手掛け開口２４ａ側に位置することになり、内材と蓋開ボタン１４との間に、クリアランスＣが形成され、内材２３と蓋開ボタン１４が直接接触することを防ぐことができる。
これにより、使用者が持ち運びの際に手掛け開口２４ａに手を入れて持つ時、蓋開ボタン１４は、クリアランスＣを開けた状態で内材２３に覆われているので、誤って蓋開ボタン１４を操作することを防止できる。
【符号の説明】
【００２６】
１０  炊飯器、１１  本体、１２  蓋体、１３  ヒンジ、１３ａ  ヒンジバネ、１４  蓋開ボタン、２０  梱包、２１  底緩衝材、２２蓋緩衝材、２３  内材、２４  梱包箱、２４ａ  手掛け開口
【図１】
0006311481.tif 000002
【図２】
0006311481.tif 000003
【図３】
0006311481.tif 000004
【図４】
0006311481.tif 000005
【図５】
0006311481.tif 000006